(57)【要約】【課題】本願発明は、釣り糸切断用の刃物をフランジ部から排除し、尚且つ釣り糸を切断部にスムーズに案内することができ、暗がりであっても糸の切断作業を容易に行うことができるようにすることを目的とする。【解決手段】本願発明に係る釣り糸用スプールでは、釣り糸が巻回される胴部１と、胴部１の外周部の内側に位置し軸方向に伸びる中央筒部１１と、中央筒部１１と胴部１とを結合する結合部８と、胴部１の軸方向における上下端から径外方向に延設されたフランジ部３，３と、釣り糸を切断するための切断部４とを備える。上記の切断部４は、中央筒部１１又は結合部８に設けられることにより、フランジ部３よりも半径方向における内側に配置されたものである。【選択図】          図１
2004321125.tif 000002
【特許請求の範囲】
【請求項１】
釣り糸が巻回される胴部と、胴部の外周部の内側に位置し軸方向に伸びる中央筒部と、中央筒部と胴部とを結合する結合部と、胴部の軸方向における上下端から径外方向に延設されたフランジ部と、釣り糸を切断するための切断部とを備えた釣り糸用スプールにおいて、
上記の切断部は、中央筒部又は結合部に設けられることにより、フランジ部よりも半径方向における内側に配置されたものであることを特徴とする釣り糸用スプール。
【請求項２】
上記の切断部は、フランジ部の外周部と略同一の軸方向の高さに配位されることが可能な導入部と、導入部によって導かれた糸を切断する刃物とを備え、
胴部に巻回された釣り糸を、フランジ部に沿って移動させることにより、当該釣り糸が導入部に導かれるようにしたことを特徴とする請求項１記載の釣り糸用スプール。
【請求項３】
上記の切断部は、胴部の半径方向に沿って配位される少なくとも１枚の案内板を備え、
この案内板の外周部が、フランジ部の外周部と略同一の軸方向の高さに配位されることが可能な上記の導入部を構成するものであることを特徴とする請求項２記載の釣り糸用スプール。
【請求項４】
上記の案内板に沿って上記の刃物が配位され、上記の案内板はこの刃物の下側に釣り糸を案内する下方案内路を備えたことを特徴とする請求項３記載の釣り糸用スプール。
【請求項５】
上記の切断部は、上下に重ねて胴部の半径方向に沿って配位される上下２枚の案内板を備え、
これらの案内板の外周部から案内された釣り糸を上下の案内板の間で挟持することができるものであることを特徴とする請求項２乃至４の何れかに記載の釣り糸用スプール。
【請求項６】
上記の中央筒部に切断部が取り付けられたことを特徴とする請求項１乃至５の何れかに記載の釣り糸用スプール。
【請求項７】
釣り糸が巻回される胴部と、胴部の軸方向における上下端から径外方向に延設されたフランジ部と、外周部の半径方向の内側に配位された中央筒部とを備えた釣り糸用スプールに対して、取り付けることが可能な釣り糸切断具において、
上記の中央筒部の軸方向に挿入されることにより中央筒部に対して取り付けられる着脱部と、着脱部の挿入端と反対側の端部に設けられた切断部とを備え、
切断部は、釣り糸を切断することができる刃物と、釣り糸を刃物に案内することができる導入部とを備えたことを特徴とする釣り糸切断具。
【発明の詳細な説明】
【０００１】
【発明の属する技術分野】
本願発明は、釣り糸用スプール並びに同スプールに取り付けて使用する釣り糸切断具に関するものである。
【０００２】
【従来の技術】
従来より、釣り糸を巻回するスプールに切断手段を設けることに関しては、種々の提案がなされている。特許文献１にあっては、フランジ部に切り込みを設けて、この切り込みに刃物を設けて、この刃物で、繰り出した釣り糸を切断するスプールが提案されている。ところが、この刃物は、人が手で触ることが多いフランジ部に設けられているため、安全性に課題を残すものであった。また、巻回された釣り糸が、上記の刃物と接触して、傷んでしまうという危惧もある。特許文献２にあっては、フランジ部よりも半径方向の内側に、糸の切断部を設けるものである点で、安全性の面では改善されているものであが、繰り出した釣り糸を切断部の刃物まで導くことが困難であった。特に、夜釣りの場合など、手元が暗い状態で、切断部の位置を正確に確認できない場合に、釣り糸を刃物まで導くことが困難であった。
更にまた、従来の提案は、釣り糸が巻回されるスプールの外周部の両側に設けられたフランジ部分に、糸止めと刃物とを設けて、糸止めに糸を係止した状態で、刃物によって糸の適宜箇所を切断するものであった。より詳しくは、刃物を備えた切断用部材を用意し、この切断用部材を、フランジ部に形成した切欠等の取付部分に対して固定するものであった。一般のスプールにおいて、釣り糸が巻かれる胴部、とりわけフランジは、釣り糸を受け、また釣り糸が脱落しないように当たりとなる程度の強度しか持たないため、切断用部材を、フランジに取り付けても、釣り糸の切断の際に、力が加わることにより、フランジを破損してしまう危惧がある。特に、この場合、通常のスプールとは異なり、切断用部材を取付部分を設けた特殊なスプールを別個形成する必要があり、汎用性がないという課題を有するものでもある。
【０００３】
【特許文献１】
特開平０８−３１７７５３号公報
【特許文献２】
特開２０００−３１７５５号公報
【０００４】
【発明が解決しようとする課題】
本願発明は、釣り糸に対する切断部を設けた釣り糸用スプールにおいて、釣り糸切断用の刃物を、フランジから排除し、また、釣り糸切断用の刃物をフランジ部に直接設けない場合にあっても、釣り糸を切断部にスムーズに案内することができ、暗がりであっても糸の切断作業を容易に行うことができるようにすることを目的とする。
また、本願発明は、通常のスプールにそのまま装着することによって、通常のスプールを釣り糸切断用カッター付のスプールとして使用することができる釣り糸切断具を提供せんとするものである。
【０００５】
【課題を解決するための手段】
なお、本願発明においては、スプールの胴部の軸方向を上下方向においた状態で各部の位置関係を特定しているが、これらの位置関係は相対的な位置関係を示すに止まるものであり、絶対的な位置を特定するものであると理解されるべきではない。
【０００６】
本願第１の発明に係る釣り糸用スプールは、釣り糸が巻回される胴部１と、胴部１の外周部の内側に位置し軸方向に伸びる中央筒部１１と、中央筒部１１と胴部１とを結合する結合部８と、胴部１の軸方向における上下端から径外方向に延設されたフランジ部３，３と、釣り糸を切断するための切断部４とを備える。
上記の切断部４は、中央筒部１１又は結合部８に設けられることにより、フランジ部３よりも半径方向における内側に配置されたものである。
【０００７】
本願第２の発明に係る釣り糸用スプールでは、上記本願第１の発明に係る釣り糸用スプールにあって、切断部４は、フランジ部３，３の外周部と略同一の軸方向の高さに配位されることが可能な導入部と、導入部によって導かれた糸を切断する刃物２とを備え、胴部１に巻回された釣り糸を、フランジ部３に沿って移動させることにより、当該釣り糸が導入部に導かれる。
【０００８】
本願第３の発明に係る釣り糸用スプールでは、上記本願第２の発明に係る釣り糸用スプールにあって、上記の切断部４は、胴部１の半径方向に沿って配位される少なくとも１枚の案内板２２を備える。この案内板２２の外周部が、フランジ部３の外周部と略同一の軸方向の高さに配位されることが可能な上記の導入部を構成する。
【０００９】
本願第４の発明に係る釣り糸用スプールでは、上記本願第３の発明に係る釣り糸用スプールにあって、上記の案内板２２に沿って上記の刃物２が配位され、上記の案内板２２はこの刃物２の下側に釣り糸を案内する下方案内路を備えたことを特徴とする。
【００１０】
本願第５の発明に係る釣り糸用スプールでは、上記本願第２乃至第４の何れかの発明に係る釣り糸用スプールにあって、上記の切断部４は、上下に重ねて胴部の半径方向に沿って配位される上下２枚の案内板２２，２３を備える。これらの案内板２２，２３の外周部から案内された釣り糸を上下の案内板２２，２３の間で挟持することができるものであることを特徴とする。
【００１１】
本願第６の発明に係る釣り糸用スプールでは、上記本願第１乃至第５の何れか発明に係る釣り糸用スプールにあって、上記の中央筒部１１に切断部４が取り付けられたことを特徴とする。
【００１２】
本願第７の発明に係る釣り糸切断具は、釣り糸が巻回される胴部と、胴部の軸方向における上下端から径外方向に延設されたフランジ部と、外周部の半径方向の内側に配位された中央筒部とを備えた釣り糸用スプールに対して、取り付けることが可能なものであり、次の構成を採る。
即ち、この釣り糸切断具は、上記の中央筒部の軸方向に挿入されることにより中央筒部に対して取り付けられる着脱部と、着脱部の挿入端と反対側の端部に設けられた切断部４とを備える。切断部４は、釣り糸を切断することができる刃物と、釣り糸を刃物に案内することができる導入部とを備える。
【００１３】
上記の構成を採る本願第１〜７の発明にあっては、切断部４を、中央筒部１１又は結合部８に支持させることによって、フランジ部３から切断部４を排除し得た。これにて、釣り糸の切断に際してフランジ部３に掛かる力を緩和した。特に、切断部４を設けるために、フランジ部３に加工を施す必要がなくなった。
更に、フランジ部３よりも、径方向の内側に配設されることによって、手が触れやすいフランジ部３から切断部４を排除し得たものであり、これにて、フランジ部３に触れても、指などを傷つけることがなく、また、胴部１に巻回された釣り糸が、切断部により傷むということがない。
また、本願第２〜５の発明にあっては、胴部１に巻回された釣り糸を、フランジ部３に沿って移動させることにより、当該釣り糸を導入部に導くことができるものであるため、円滑な釣り糸の切断を行うことが可能となった。
特に、本願第３の発明の発明にあっては、案内板２２の外周部が、フランジ部３の外周部と略同一の軸方向の高さに配位されることが可能な上記の導入部を構成するものであるため、胴部１から引き出した釣り糸を、胴部１の端面（フランジ部の軸方向の外側の面）に沿って移動させることによって、片手でも確実に、釣り糸を導入部に導くことができるものであるため、円滑な釣り糸の切断を行うことが可能となった。従って、いちいち見て確かめなくても、胴部１から引き出した釣り糸を、暗がりや、悴（かじか）んだ指先でも、簡単に切断することができる。
【００１４】
又、本願第７の発明にあっては、釣り糸を切る手段を備えない既存のスプールに釣り糸を切るための構成を付与することを可能とした。通常スプールは、製造時において、商品となる釣り糸を巻回する工程を経るものであるが、この糸巻きに際してスプールを回転させる必要がある。従って、一般のスプールには、当該回転力を供給するための回転軸を受ける、中央筒部がスプールの中心に設けられている。
従って、この糸切断具は、何れのスプールも備える中央筒部を利用して、取り付けることができる、汎用性を獲得したものである。
このため、一々、糸切部を備えたスプールを用意する手間がなく、既に所有しているスプールに、後からそのような機能を付加することができる。
【００１５】
【発明の実施の形態】
以下、図面に基づき本願発明の実施の形態を説明する。
図１〜図９へ、本願発明の一実施の形態を示す。図１は、釣り糸用スプール１００に、釣り糸切断具（切断部）を取り付ける前の全体斜視図であり、図２は、取り付け後の全体斜視図である。図３は、図２の平面図である。図４の（Ａ）は切断部を取り付けていない状態の本願発明に係るスプールの略縦断面図であり、（Ｂ）は切断部を取り付けた状態のスプールの略縦断面図である。図５は、釣り糸切断具の分解斜視図である。図６（Ａ）は図３に示す位置Ｗ１における胴部１の軸方向に沿った要部略断面図であり、図６（Ｂ）は図３に示す位置Ｗ２における胴部１の軸方向に沿った要部略断面図である。図７の（Ａ）は釣り糸の引き出し状態を示すスプールの全体平面図であり、（Ｂ）はの導入部に引き出した釣り糸を当接させた状態を示すスプールの略縦断面図である。図８（Ａ）及び（Ｂ）は、夫々、更に切断部に釣り糸を案内させた状態を示す全体平面図である。図９（Ａ）及び（Ｂ）は、更に切断部に釣り糸を案内させた状態を示すスプールの略縦断面図である。
説明の便宜上、図中、Ｕは上方を、Ｓは下方を示している。
また、Ｘ−Ｘは、円筒状体である釣り糸用スプール１００（胴部１）の中心軸の軸方向を示している。Ｘ１は当該軸方向Ｘ−Ｘの内側方向を示し、Ｘ２は当該軸方向Ｘ−Ｘの外側方向を示している。Ｒ１は釣り糸用スプール１００（糸巻部１）の径方向の内側を示し、Ｒ２は径方向の外側を示している。
【００１６】
図１及び図２に示す通り、このスプール１００は、釣り糸が巻回される外周面を備えた胴部１に、別体に形成された釣り糸切断具２００を取り付けて、一体として使用されるものである。
以下各部の構成について、詳述する。
【００１７】
先ずスプール１００の各部について説明する。
図１に示す通り、胴部１は、外周面に釣り糸ｍを巻回することが可能な円筒状体であり、軸方向における上下端から径外方向にフランジ部３，３が延設されている。胴部１の外周面の半径方向の内側Ｒ１に、中央筒部１１を有する。図４（Ａ）へ示す通り、この中央筒部１１の軸方向は、胴部１の中心軸Ｘ−Ｘと同じ方向に伸びるもので、同軸Ｘ−Ｘ上に形成されている。
中央筒部１１は、その両端に開口部を有する。中央筒部１１と胴部１とは、結合部８にて接続されている。結合部８は、複数のハブである。
上記のフランジ３の少なくとも一方には、切欠部３１が設けられている。糸巻部１に巻回された釣り糸ｍは、この切欠部３１から、糸巻部１の端部１０側へ引き出すことができる。
【００１８】
次に、釣り糸切断具２００の各部について説明する。
釣り糸切断具２００は、中央筒部１１に対して取り付け可能な着脱部２１と、上下に重ねて固定された２枚の案内板２２，２３とを備える。
以下案内板の一方を表板２２と、他方を基板２３と呼ぶ。図５へ示す通り、表板２２は、基板２３の表面に重ねて固定される。上記の着脱部２１は、基板２３の裏面に設けられている。
着脱部２１は、円柱状体であり、図４（Ｂ）へ示す通り、上記スプール１００の中央筒部１１（の開口部から中央筒部１１の内部）へ挿入することが可能である。即ち、着脱部２１の横断面形状は、中央筒部１１内部の横断面形状と対応するものである。このように、中央筒部１１内へ着脱部２１を嵌め合わせることによって、釣り糸切断具２００をスプール１００へ取り付けることができる。
即ち、この取り付けによって、スプール１００へ切断部４を設けることができる。
尚、スプール１００へ取り付け後の釣り糸切断具２００を切断部４と呼ぶ。
【００１９】
図３及び図５へ示す通り、基板２３と表板２２の平面視における輪郭は、ほぼ同じである。当該輪郭が一致するように基板２３に対して表板２２が重ねて固定される。この固定は、図示しないが、接着剤を用いたり、或いは基板２３の表面と表板２２の裏面とに凹凸を設けて、当該凹凸を嵌め合うなどの、周知の手段を用いて行う。図５へ示す通り、基板２３に釣り糸を切る刃物２を受容する受容部２４が設けられおり、受容部２４へ刃物２を収容した状態にして、基板２３へ表板２２が固定される。
このように、基板２３と表板２２とが一体にされて、一枚のガイド盤２０を形成する。
上記の刃物２は、カイド盤２０の外周の一部となるように配置される。
【００２０】
中央筒部１１内へ着脱部２１を装着することによって、着脱部２１が設けられたガイド盤２０裏面側が、スプール１００の胴部１端部に対応する。
胴部１の端部へ取り付けられた状態において、ガイド盤２０の外周部分は、胴部１の径方向についてフランジ３の外周部分よりも内側Ｒ１に位置する。
即ち、切断部４は、中央筒部１１に設けられることにより、フランジ部３よりも半径方向における内側に配置される。
従って、上記の刃物２は、胴部１の径方向についてフランジ３よりも内側Ｒ１に位置する。
この実施の形態では、図３へ示す通り、スプール１００を平面視した状態において、刃物２は、胴部１の中心軸（中央筒部１１）を挟んで、フランジ３の切欠部３１の反対側に位置する。
【００２１】
切断部４において、カイド盤２０は、フランジ部３，３の外周部と略同一の軸方向の高さに配位された導入部を備える。また、ガイド盤２０は、刃物２の下側（胴部１の軸方向の内側Ｘ１）に釣り糸を案内する下方案内路を備える。
この導入部及び下方案内路について具体的に説明する。
図４（Ｂ）へ示す通り、表板２２は、胴部１の軸方向の外側Ｘ２に突出する。基板２３の表面は、胴部１の軸方向の外側Ｘ２について、胴部１の端部１０（フランジ３上面）と同じ位置に配置される。この実施の形態では、図４（Ａ）（Ｂ）へ示す通り、切断部４が配設される胴部１の端部１０において、結合部８は、胴部１の軸方向の内側Ｘ１に後退している。このため、図４（Ｂ）へ示すリング２５を着脱部２１に装着して、上記の表板２２と基板２３の位置を確保している。但し、結合部８の端部が胴部１の端部１０（フランジ３外面）と同じ位置のスプールであれば、このようなリング２５を設けずに実施することができる。
切断部４において、表板２２の外周面は、胴部１の軸方向内側Ｘ１に向けて傾斜する、即ち、軸方向内側Ｘ１に向けて表板２２の横断面を漸次小さくするテーパｔ１が設けられている。この表板２２のテーパと、基板２３の表面との間が、釣り糸を挟持することが可能な溝を構成する（図６（Ａ））。この実施の形態において、当該溝が上記の導入部である。
【００２２】
図３へ示す通り、上記の溝は、ガイド盤２０の外周面において、フランジ３の切欠部３１と対応する位置から刃物２に到る一区間Ｗ１に設けられている。図６（Ａ）は、この区間Ｗ１における軸方向Ｘ−Ｘに沿った面（仮想面）で切った断面図である。
また、上記の溝は、ガイド盤２０の外周面において、図３へ示す通り、刃物２に到るまでに終端Ｗ２を有する。図６（Ｂ）は、この終端Ｗ２における軸方向Ｘ−Ｘに沿った面（仮想面）で切った断面図である。この図６（Ｂ）へ示す通り、終端Ｗ２において、基板２３の外周面も、表板２２のテーパｔ１を延長する、テーパｔ２が設けられている。このテーパｔ２が、上記下方案内路である。
上記の刃物２は、表板２２と基板２３の間に位置する。
【００２３】
次に、このスプール１００にて、釣り糸ｍを切断する手順について、図７〜図９を用いて説明する。尚図７（Ｂ）において、切断部４は、断面でなく、側面図として示している。
図７（Ａ）へ示す通り、胴部に巻回された釣り糸ｍを、切欠部３１から胴部１の上方側に引き出す。そして、切欠部３１を支点として、フランジ３の上面に沿わせた状態で、釣り糸ｍの自由端側を、切断部４に向けて引き回す。
フランジ３の上面に沿わせた状態で釣り糸ｍを引き回すことによって、図７（Ｂ）へ示す通り、ガイド盤２０の導入部、即ち表板２２と基板２３が溝に、釣り糸ｍに突き当たる。
図８（Ａ）へ示すように、区間Ｗ１を支点として、釣り糸ｍを更に、引き回すことによって、釣り糸ｍは、順次ガイド盤２０の外周面に沿わされ、途中下方案内路を構成するテーパｔ２に導かれて、図８（Ｂ）及び図９（Ａ）へ示すように、刃物２の下方に到達する。
そして、図９（Ｂ）へ示す通り、釣り糸ｍを刃物２に当てることによって、切断することができる。
【００２４】
切断後、釣り糸切断具２００の着脱部２１先端を、胴部１のガイド盤２０が配設された端部と反対側の端部から、指先で力Ｐ（図４（Ｂ））を加えて、ガイド盤２０を胴部１端部より浮き上がらせることにより、ガイド盤２０に外周に残った釣り糸が掴みやすくなり、次の切断を円滑に行うことができる。
上記ガイド盤２０の表板２２の表面（上面）に蛍光塗料を塗布することによって、夜間の視認性を向上することができ、より円滑な作業が行える。また、蛍光塗料を塗布する以外に、ガイド盤２０（の少なくとも表板２２）を蛍光性のある素材にて形成して実施しても同様の効果を得ることができる。
上記の実施の形態において、導入部は、胴部１の端部１０（フランジ部３上面）と、胴部１の軸方向について、同じ高さに位置するものであった。この他、胴部１の軸方向について、胴部１の端部１０よりも、内側に位置するものであっても実施可能である。但し、同じ高さにするほうが、釣り糸の案内が円滑に行える点で有利である。
プラスチックなどの、力が加わった際に変形しても力がなくなった際に元の状態に戻る弾力性を有する素材にて、少なくとも上記のガイド盤２０を、形成する。当該弾力性により、単に導入部として釣り糸ｍと当接するのみならず、表板２２と基板２３とが確実に、釣り糸ｍを挟持するからである。また、軽量化や生産性の面で、スプールの全体をプラスチックにて形成するのが好ましい。但し他の素材にて形成するのを制限するものではない。
【００２５】
上記の実施の形態において、ガイド盤２０は、胴部１の釣り糸ｍの巻きの延長方向ａ（図７（Ａ））に引き出した釣り糸ｍを案内するのに適したものであった。この他図１０へ示す通り、平面視した状態においてガイド盤２０外周を左右（Ｌ，Ｒ）対称に形成し、上記延長方向ａのみならず、当該延長方向ａと逆方向ｂに引き回すことによって、ガイド盤２０外周に沿わせて切断を行うものとしても実施可能である。この場合、刃物２を中心としてガイド盤２０外周面の左右夫々に、導入部と、下方案内路が形成される。
また、ガイド盤２０（表板２２）を、平面視した魚などのように、左右対称に現れる動物や植物或いは漫画のキャラクタなどを模して輪郭を形成することにより、装飾性を高めることができる。また、表板２２の表面を、商標その他の商品情報表示部として利用することができる。
図１０に示す実施の形態にあっても、特に、言及した以外の構成については、図１〜図９に示す実施の形態と同様である。
【００２６】
【発明の効果】
本願第１乃至第７の発明の実施により、構造上フランジよりも強度が大きな中央筒部或いは結合部に刃物（切断部）を設けることにて、フランジ部から刃物（切断部）を排除し得た。従って、切断部を設けるために、フランジ部に加工したり、また、そのような特別なスプールを形成する必要がない。そして、フランジに触れて、指などを傷つけることがなく、また、フランジに触れた、釣り糸を傷めない。
特に、本願第３の発明の実施によって、いちいち見て確かめなくても、引き出した釣り糸を、スプールの端面に沿って移動させれば、釣り糸の切断部に、確実に釣り糸を掛けることができるものであるため、暗がりや、悴んだ指先でも、簡単に釣り糸を切断することができる。
更に、本願第７の発明にあっては、釣り糸を切る手段を備えない既存のスプールに釣り糸を切るための構成を、後から付与することを可能とした。このため、一々、釣り糸の切断部を備えたスプールを用意する手間がなく、既に所有しているスプールに、後からそのような機能を付加することができる。
【図面の簡単な説明】
【図１】本願発明に係るスプールに切断部（釣り糸切断具）を取り付ける前の状態を示す全体斜視図である。
【図２】上記切断部をスプールに取り付けた状態を示す全体斜視図である。
【図３】図２の全体平面図である。
【図４】（Ａ）は切断部を取り付けていない状態の本願発明に係るスプールの略縦断面図であり、（Ｂ）は切断部を取り付けた状態のスプールの略縦断面図である。
【図５】切断部の分解斜視図である。
【図６】（Ａ）は図３に示す位置Ｗ１における胴部１の軸方向に沿った要部略断面図であり、（Ｂ）は図３に示す位置Ｗ２における胴部１の軸方向に沿った要部略断面図である。
【図７】（Ａ）は釣り糸の引き出し状態を示すスプールの全体平面図であり、（Ｂ）は導入部に引き出した釣り糸を当接させた状態を示すスプールの略縦断面図である。
【図８】（Ａ）及び（Ｂ）は、夫々、更に切断部に釣り糸を案内させた状態を示す全体平面図である。
【図９】（Ａ）及び（Ｂ）は、更に切断部に釣り糸を案内させた状態を示すスプールの略縦断面図である。
【図１０】他の実施の形態の全体平面図である。
【符号の説明】
１    胴部
３    フランジ部
４    切断部
８    結合部
１１    中央筒部
【図１】
2004321125.tif 000003
【図２】
2004321125.tif 000004
【図３】
2004321125.tif 000005
【図４】
2004321125.tif 000006
【図５】
2004321125.tif 000007
【図６】
2004321125.tif 000008
【図７】
2004321125.tif 000009
【図８】
2004321125.tif 000010
【図９】
2004321125.tif 000011
【図１０】
2004321125.tif 000012